(57)【特許請求の範囲】
【請求項１】
取付け孔を備えた取付け部材の表面側に当接し、機能手段を取付け可能な台座と、前記取付け部材の裏面側に当接する裏当て座と、前記台座と前記裏当て座とをボルトを介してナット部材により締め付け固定する締結手段とを備えた取付け装置において、
前記裏当て座には、該裏当て座に前記ボルトを挿通した状態で、前記裏当て座が前記取付け孔に傾斜状態で表側から挿通でき、しかも、前記裏当て座が前記ボルトに対して直交状態では前記ボルトに対し該裏当て座の取付け位置が決まる姿勢制御手段が設けられ、
前記姿勢制御手段は、前記ボルトに対して前記裏当て座を回転不能とするガイド機構と、前記ボルトを前記裏当て座に傾斜可能に挿通できる傾斜機構とからなって、
前記ガイド機構は、前記台座に設けられ前記裏当て座に形成された切欠きに挿通するガイドロッドからなることを特徴とする取付け装置。
【請求項２】
請求項１記載の取付け装置において、前記ボルトに螺合するナット部材は、前記裏当て座の裏面側に設けられていることを特徴とする取付け装置。
【請求項３】
請求項１及び２のいずれか１項に記載の取付け装置において、前記機能手段は水栓装置からなることを特徴とする取付け装置。
【発明の詳細な説明】
【０００１】
【発明の属する技術分野】
本発明は、水栓装置や手摺り等の機能手段を、取付け孔が予め形成されたパネルやボード等に取付ける場合に、その工事が表面側から容易に行える取付け装置に関する。
【０００２】
【従来の技術】
例えば、水栓装置の一例である湯水混合栓を流し台のカウンターに固定する場合、給水管及び給湯管を包み込んだ雄ねじ付きのスリーブを水栓本体の下端に設け、このスリーブをカウンターの取付け孔に差し込み、カウンターの下側からナットをスリーブにねじ込んでカウンターを上下に挟みこんで固定するのが一般的なものであった。
このような固定構造では、作業者がキャビネットの中に潜り込んでカウンターの下側からナットをスリーブにねじ込む必要があり、更には固定後の姿勢を正しくするためには、カウンターの上側で水栓本体を保持する作業者とキャビネットの中でナットをねじ込む作業者が必要となる。
【０００３】
このような作業の手間を省くために、水栓本体をカウンターの上面側からだけで工事を行えるようにしたものとして、例えば、実開平５−３０２６１号公報に記載された水栓取付け用アダプターがある。この水栓取付け用アダプターは、水栓本体をカウンターの上方からの差し込みだけで固定できる取付け用アダプターを備え、そのアダプターは「く」の字状に曲げて下に突き出る弾性変形可能な複数の取付け片を備えたものである。取付け片はその収縮変形を利用してカウンターの取付け口に差し込まれ、カウンターの下面との間で取付け片との係合によってアダプターがカウンターに固定される。そして、水栓本体の下端部に設けた取付け用雄ねじをアダプターに差し込めば、取付け片の下端が雄ねじの中に食い込むようになり、取付け片の弾性反発を利用して水栓本体に対して下向きの拘束力を作用させて、この水栓本体がカウンターに固定される。
【０００４】
また、特開平８−９３０１２号公報には、取付け孔が設けられているカウンターの表面側に固定台座を、裏面側にリテーナを配置し、これらをボルト及びナットによってカウンターに取付ける構造において、リテーナを馬蹄形状とし、取付け孔に斜めに挿入してカウンターの下部に配置し、これらの取付け具をカウンターの表面側からの取付け工事が可能な水栓の取付け構造が提案されている。
【０００５】
【発明が解決しようとする課題】
しかしながら、実開平５−３０２６１号公報記載の水栓取付け用アダプターにおいては、水栓本体の取付け用の雄ねじは、取付け片の下端に係合する複数の点によって拘束される。この場合、雄ねじの谷に当たるそれぞれの取付け片の係合姿勢は、必ずしも一様でなく、各取付け片による拘束力にはバラツキが生じ易い。即ち、雄ねじを形成した筒部が円弧状に配列されている取付け片の下端部に差し込まれるだけの操作であるから、取付け片と雄ねじとの係合を人為的に修正することはできず、係合力の調整は不可能である。このような施工上の制限から、取付けられた水栓本体にガタが生じ易く、更には、取付けられたカウンターとのシール状態も十分に確保できないという問題がある。
【０００６】
そして、特開平８−９３０１２号公報記載の水栓の固定構造においては、斜め状態に姿勢を保持して表面側から取付け孔に落とし込むリテーナは、ボルトに対し回転可能になっているので、カウンターの下側に落としたリテーナを所定の位置に配置し直す必要があり、更には、所定の位置に配置したリテーナの回転を防止するため、固定台座からリテーナを挿通する回り止め具を装着する必要があり、機器全体の部品点数が増加すると共に、その取付けが面倒であるという問題があった。
このような事情は、カウンター、パネル等に取付ける他の装置（例えば、手摺り、スポットライト等）に置いても同様に生じる問題であった。
本発明はかかる事情に鑑みてなされたもので、比較的部品点数が少なく、取付けも容易で、かつカウンターやパネル等の取付け部材に対して強固に固着可能な取付け装置を提供することを目的とする。
【０００７】
【課題を解決するための手段】
前記目的に沿う本発明に係る取付け装置は、取付け孔を備えた取付け部材の表面側に当接し、機能手段を取付け可能な台座と、前記取付け部材の裏面側に当接する裏当て座と、前記台座と前記裏当て座とをボルトを介してナット部材により締め付け固定する締結手段とを備えた取付け装置において、
前記裏当て座には、該裏当て座に前記ボルトを挿通した状態で、前記裏当て座が前記取付け孔に傾斜状態で表側から挿通でき、しかも、前記裏当て座が前記ボルトに対して直交状態では前記ボルトに対し該裏当て座の取付け位置が決まる姿勢制御手段が設けられ、
前記姿勢制御手段は、前記ボルトに対して前記裏当て座を回転不能とするガイド機構と、前記ボルトを前記裏当て座に傾斜可能に挿通できる傾斜機構とからなって、
前記ガイド機構は、前記台座に設けられ前記裏当て座に形成された切欠きに挿通するガイドロッドからなる。
これによって、裏当て座をボルトに装着した状態で取付け孔から傾斜状態で挿通し、裏当て座をボルトに対して直交させると、ボルトに対する裏当て座の位置が決まる。
前記機能手段には、例えば、流しや洗面所で使用する水栓装置、家屋で使用する手摺り等がある。
【０００８】
この傾斜機構としては、前記ボルトが挿通する弾性部からなって、該弾性部の弾性変形で前記裏当て座が前記ボルトに対して傾斜可能となっているものや、前記裏当て座に設けられた傾斜孔からなっているものがある。
【０００９】
また、前記ガイド機構は、ねじ軸とは別に設けられたガイドロッドを備え、前記裏当て座の回転を防止している。
更には、ボルトの雄ねじに螺合するナット部材は、前記台座の表面側に設けられている場合と、裏当て座の裏面側に設けられている場合がある。
【００１０】
【発明の実施の形態】
続いて、添付した図面を参照しつつ、本発明を具体化した実施の形態につき説明し、本発明の理解に供する。
ここに、図１は本発明の第１の実施の形態に係る取付け装置の断面図、図２、図３は同使用状態の斜視図、図４は同使用状態の断面図、図５は裏当て座の断面図、図６は裏当て座の斜視図、図７は本発明の第２の実施の形態に係る取付け装置の断面図、図８、図９は同使用状態の斜視図、図１０は同使用状態の断面図、図１１は裏当て座の断面図、図１２は裏当て座の斜視図、図１３は本発明の第３の実施の形態に係る取付け装置の正面図、図１４は同側面図、図１５は同平面図、図１６（Ａ）は裏当て座の底面図、（Ｂ）はその断面図、図１７は台座の断面図、図１８はナット部材の平面図、図１９はナット部材の断面図である。
【００１１】
図１〜図６に示すように、本発明の第１の実施の形態に係る取付け装置１０は、取付け部材の一例であって、所定の位置に予め取付け孔１１ａが設けられたカウンター１１の表面側に当接する台座１２と、カウンター１１の裏面側に配置される裏当て座１３と、これらを連結する金属製のボルト１４及びこれに螺合するナット１５とを有している。以下、これらについて詳しく説明する。
【００１２】
台座１２は、真鍮、ステンレス、鉄等の金属又は十分に強度を有するプラスチック又はセラミックス等からなって（以下の実施の形態においても同じ）、高さの低い円柱体１６とその底に一体的に接合されているフランジ部１７とを具備し、円柱体１６には上下に貫通する平面視して半円形の貫通孔１８が設けられている。貫通孔１８は上部に取付けた機能手段の一例である水栓装置１９の図示しない給水管、給湯管及び電気コードが挿通するためのものである。円柱体１６にはこの貫通孔１８と対称位置に、即ち、円柱体１６の軸心から偏心して、ボルト挿通孔２０が設けられている。そして、フランジ部１７の底部にシール部材の一例である環状パッキン２１を取付ける窪み２２が設けられている。また、円柱体１６の側部には水栓装置１９を取付けた場合の、ビスの先端が嵌入する円錐穴２２ａが設けられている。
【００１３】
前記ボルト挿通孔２０に挿通するボルト１４の全長は、台座１２の高さとカウンター１１の厚みと裏当て座１３の厚みを加えた長さより十分長くなって、下部に拡径した頭部２３とその上部のねじ軸２４とからなっている。ねじ軸２４は下側の少しの部分を残して雄ねじ２５が形成され、上側からナット部材の一例である六角ナット（以下、単にナットという）１５が螺合するようになっている。そして、雄ねじ２５を含むねじ軸２４の両側は軸心に沿って切除されてガイド機構を構成し、更に切除部となる対となる平行面２６、２７が形成されている。
以上のように、この実施の形態においては、ボルト１４とこれに螺合するナット１５によって台座１２と裏当て座１３の締結手段が構成されている。
【００１４】
裏当て座１３は、平板からなる裏当て座本体１３ａとこれの中央に貼着されているゴム板３０からなる。裏当て座本体１３ａは真鍮、ステンレス、鉄等の金属又は十分に強度を有するプラスチック等からなり、図５、図６に示すように、一部に切欠きからなる凹部２８を備え、平面視して前後対称なコ字状となっている。コ字状となった裏当て座本体１３ａの前後方向端部は円弧状となって、カウンター１１に予め形成された取付け孔１１ａの周囲部分に偏ってブリッジ状に当接する長さを有している。この裏当て座本体１３ａの中央にはボルト１４の直径より十分大きな開口２９が設けられ、この上に傾斜機構の一例である弾性部を構成する前記ゴム板３０が接着剤を介して貼着されている。ゴム板３０の中心には前記ボルト１４のねじ軸２４の断面形状に符合する挿通孔３１が形成され、ゴム板３０に形成されたこのような挿通孔３１によって、裏当て座１３の傾斜機構が構成されている。
【００１５】
従って、この裏当て座１３をボルト１４に装着した場合、ゴム板３０が弾性変形すると共に開口２９は十分な幅を有しているので、図３、図４に示すように水平面に対して約６０度程度まで傾斜可能となっている。また、裏当て座１３は自由状態では図２に示すようにボルト１４のねじ軸２４に対して直交する状態、即ち垂直に立ったボルト１４に対して水平状態を保ちながら、更にはボルト１４の軸心に直交する平面内においては、回転することなく所定の角度位置で保持できるようになっている。このような構造のゴム板３０及びねじ軸２４によって、裏当て座１３を傾斜可能とすると共に、ボルト１４と直交状態になる裏当て座１３を所定の位置に収める姿勢制御手段が構成されている。
なお、前記台座１２のボルト挿通孔２０も両側に平行面２６、２７が形成されたボルト１４のねじ軸２４が回転しないで挿通するようになっている。従って、ボルト挿通孔２０はねじ軸２４の断面形状よりやや大きい形状となって、ボルト１４のねじ軸２４が上下方向には自由に移動するが、台座１２に対してねじ軸２４が回転しないようになっている。
【００１６】
この取付け装置１０をカウンター１１に取付ける場合には、ボルト１４に裏当て座１３を挿通した後、台座１２のボルト挿通孔２０に下側から挿通し、ボルト１４にナット１５を螺合させておく。この場合、図２に示すように、裏当て座１３の凹部２８の向きと台座１２の貫通孔１８の向きは合わせておく。この状態で、ボルト１４の頭部２３をカウンター１１の取付け孔１１ａに挿通させ、次に、裏当て座１３を、図３、図４に示すように傾斜させて、取付け孔１１ａを挿通させる。裏当て座１３が取付け孔１１ａを挿通した後は裏当て座１３から手を離すと、裏当て座１３は自重によって落下してボルト１４の頭部２３上に載るが、この場合、ゴム板３０の挿通孔３１がボルト１４のねじ軸２４の断面形状に符合しているので、ボルト１４に対して平面的に所定の角度を維持しながら、頭部２３の上に載ることになる。
この状態で、ナット１５を締めるが、台座１２に対してボルト１４の角度は決まっており、ボルト１４に対して裏当て座１３の装着角度は決まっているので、台座１２のフランジ部１７を取付け孔１１ａに対して所定の位置に配置すれば、自動的に下の裏当て座１３も取付け孔１１ａに対して所定の位置に配置されることになる。なお、フランジ部１７の底部の窪み２２には環状パッキン２１が装着されているものとする。
更に、台座１２を保持してナット１５を回す。ボルト１４は台座１２によって回り止めがされているので、共回りすることなくナット１５を回すことができる。ナット１５を締め付けると、ゴム板３０はクッション材として働き、ナット１５の緩みを防止できる。
【００１７】
次に、図７〜図１２を参照しながら、本発明の第２の実施の形態に係る取付け装置３４について説明する。なお、第１の実施の形態に係る取付け装置１０と同一の構成要素については同一の番号を付してその詳しい説明を省略する（以下の実施の形態においても同じ）。
図７〜図１２に示すように、本発明の第２の実施の形態に係る取付け装置３４は、カウンター１１の表面側に取付ける台座１２と、裏面側に取付ける裏当て座３５とこれを連通するボルト３６及びこれに螺合するナット部材の一例である六角ナット（以下、単にナットという）３７を有している。以下、これらについて詳しく説明する。
【００１８】
前記ボルト３６は台座１２、カウンター１１及び裏当て座３５を挿通する十分な長さを有するねじ軸３８を備え、その下部に頭部３９が設けられている。ねじ軸３８の周囲に雄ねじ４０が形成されていると共に、雄ねじ４０の両側は部分的に切除されてガイド機構を構成する平行面４１、４２（切除部）が形成されている。なお、このボルト３６とナット３７で締結手段を構成する。
前記裏当て座３５は、第１の実施の形態に係る裏当て座本体１３ａと同一の材料であって、更に、平面視して裏当て座本体１３ａと略同一の外側形状をし、図１０に示すように斜め状態ではカウンター１１の取付け孔１１ａに挿通できるようになっているが、ボルト３６のねじ軸３８が挿通する大きな開口は設けられておらず、幅方向はボルト３６の平行面４１、４２の間隔より少し広い縦長の挿通孔からなる傾斜孔４３（傾斜機構の一例）が形成されている。
【００１９】
この傾斜孔４３は、図１１、図１２に示すように、ねじ軸３８の軸心に対する直角面に対して裏当て座３５を約６０度近傍まで傾斜できる構造となっている。また、裏当て座３５をねじ軸３８に対して直角状態とした場合に、図１１において、ねじ軸３８の右側部が面積をもって当接する下当接部４４と、ねじ軸３８の左側部が面積をもって当接する上当接部４５が、傾斜孔４３の長手方向に設けられている。
これによって、頭部３９を下にしたボルト３６のねじ軸３８に裏当て座３５を挿通すると、裏当て座３５は自由落下して、図９に示すようにボルト３６に対して直交状態となってしかも、所定の位置に固定される。
この実施の形態においては、裏当て座３５に形成された傾斜孔４３と、これに挿通するねじ軸３８によってボルト３６に対して斜めに装着された裏当て座３５を所定の位置に戻す姿勢制御手段が構成されている。
【００２０】
従って、この取付け装置３４の使用にあっては、ボルト３６に裏当て座３５及び台座１２を挿通した状態で、ボルト３６の雄ねじ４０にナット３７を螺合させる。この状態で、図８、図１０に示すように、裏当て座３５を斜めに倒し、カウンター１１の取付け孔１１ａに挿通する。裏当て座３５が取付け孔１１ａを挿通したところで、裏当て座３５を自由状態とすると、自重によって落下し、ボルト３６の頭部３９に裏当て座３５が図９に示すように、水平状態で載ることになる。この状態では、台座１２に対するボルト３６の取付け角度、及びボルト３６に対する裏当て座３５の角度が決定しているので、台座１２を取付け孔１１ａに対して所定の位置に配置することによって、下方の裏当て座３５の取付け位置も決定される。この状態でナット３７を締めれば、全体の取付けが完了する。この後、台座１２に、例えば、機能手段の一例である水栓装置１９を取付ける。
なお、台座１２の底の窪み２２には予め環状パッキン２１が装着されているので、確実に水シールができる。
【００２１】
続いて、図１３〜図１９を参照しながら、本発明の第３の実施の形態に係る取付け装置４７について説明する。
図１３〜図１９に示すように、第３の実施の形態に係る取付け装置４７は、カウンター１１の表面側に取付ける台座４８と、カウンター１１の裏面側に取付ける裏当て座４９と、これらを連結する六角穴付きボルト５０及びこれに螺合するナット部材５１と、台座４８に取付けられているガイドロッド５２とを有している。以下、これらについて詳しく説明する。
【００２２】
図１３〜図１５及び図１７に示すように、台座４８は高さの低い円柱体５３とその底に一体的に接合されているフランジ部１７とを有し、フランジ部１７の底には環状パッキン２１が収納されている。円柱体５３には平面視して半円形の大きな貫通孔５４有し、貫通孔５４と対向する側にはボルト挿通孔５５を備えている。このボルト挿通孔５５は断面円形の段付き孔となって、六角穴付きボルト５０の頭部５６が埋没する構造となっている。貫通孔５４はこの取付け装置４７に取付ける水栓装置１９の給水管、給湯管や電気コードが挿通するためのものである。
【００２３】
前記六角穴付きボルト５０は頭部５６とこれに一体的に連接するねじ軸５７とからなって、ねじ軸５７は、図１３に示すように、台座４８、カウンター１１及び裏当て座４９を挿通し、更に裏当て座４９を斜めに倒すだけの十分な長さを有し、ねじ軸５７の外側は雄ねじ５８が形成されている。
台座４８の底部には、ねじ軸５７と並行して裏当て座４９の回転を防止するガイド機構を構成するガイドロッド５２の先部がねじ込まれ、このガイドロッド５２の全長はねじ軸５７の長さと略同一となっている。
前記裏当て座４９は、図１６（Ａ）、（Ｂ）に示すように、長手方向に沿って側部に形成された第１の切欠き５９と、これとは別の位置に形成された第２の切欠き６０を備え、中央には傾斜機構の一例である傾斜孔（挿通孔となる）６１が設けられた楕円形の平板部６２と、平板部６２の裏面側に取付けられ、傾斜孔６１を中央にして左右対となって配置されたガイド部６３、６４とを有している。平板部６２の表側は平面状となって、カウンター１１に形成された取付け孔１１ａの周囲部分の半分に当接する広さを有している。傾斜孔６１は実質的には第２の実施の形態に係る取付け装置３４の裏当て座３５に形成された傾斜孔４３と同一構造となって、裏当て座４９を図１３に示すように、水平面に対して約６０度まで傾斜可能としている。
【００２４】
第１の切欠き５９はこの裏当て座４９をカウンター１１に取付けた場合に、カウンター１１の上側に取付けた台座４８の貫通孔５４に符合させるためのもので、給水管や給湯管が通るより有効な空間を形成している。第２の切欠き６０は前記したガイドロッド５２が挿通するためのもので、幅はガイドロッド５２の直径より僅少の範囲で大きくなって、奥側中心位置は台座４８に取付けられたガイドロッド５２の軸心と一致している。
前記ガイド部６３、６４は中央部分が傾斜孔６１を中心にして円形になって筒状収納部６５を形成している。
【００２５】
前記ナット部材５１は、図１８、図１９に示すように、平板部６６とこの上に取付けられた第１、第２の突出部６７、６８とを有し、第１の突出部６７に六角穴付きボルト５０の雄ねじ５８に螺合する雌ねじ６９が形成されている。第２の突出部６８は平面視して円形となってガイド部６３、６４によって形成される裏当て座４９の筒状収納部６５に収納され、第１の突出部６７は平面視して四角形となって、裏当て座４９のガイド部６３、６４で挟まれ、ナット部材５１を裏当て座４９に裏面側から装着した場合の回り止めを果している。
平板部６６には、ガイドロッド５２を自由に通過させる挿通孔７０が設けられて、ナット部材５１が水平状態を保持すると共に、水平回転をしないで、ガイドロッド５２に沿って上下できるようになっている。
このナット部材５１及び六角穴付きボルト５０によって締結手段が構成され、ねじ軸５７が挿通する裏当て座４９の傾斜孔６１、第２の切欠き６０及びこれを通過するガイドロッド５２によって、裏当て座４９をねじ軸５７に対して斜め状態に保持でき、更に自由状態ではナット部材５１の上に搭載される裏当て座４９の姿勢制御手段が構成されている。
【００２６】
この取付け装置４７を使用する場合には、図１３、図１４に示すように、台座４８のボルト挿通孔５５に六角穴付きボルト５０を入れ込み、更に裏当て座４９をねじ軸５７に挿通する。このとき、裏当て座４９の第２の切欠き６０にガイドロッド５２を挿通しておく。この状態でねじ軸５７の端部から雄ねじ５８に螺合するナット部材５１を取付け、最後に落下防止用のストッパーとなる袋ナット７１を雄ねじ５８の端部に螺合する。この袋ナット７１は、ナット部材５１が螺合している六角穴付きボルト５０を緩める方向に回転させた場合にナット部材５１が脱落するのを防止するためのものであり、一旦六角穴付きボルト５０の端部に取付けた後は、六角穴付きボルト５０と共回りをして自然に外れることはない。
【００２７】
次に、裏当て座４９を図１３に二点鎖線で示すように斜め（約６０度）にするが、この場合でも第２の切欠き６０からガイドロッド５２が外れないように全体のガイドロッド５２の位置が決定されている。裏当て座４９がカウンター１１の取付け孔１１ａを部分的にでも挿通した状態で裏当て座４９を離すと自重で落下するが、中央の傾斜孔６１にはねじ軸５７が挿通し、第２の切欠き６０にはガイドロッド５２が入り込んだ状態で落下するので、図１３、図１４に示すように、ナット部材５１の第１、第２の突出部６７、６８が裏当て座４９の左右のガイド部６３、６４の間に嵌まり込む。これによって、台座４８に対する裏当て座４９の位置が決定されるので、台座４８を取付け孔１１ａの所定位置に配置した後、六角穴付きボルト５０を回して裏当て座４９をカウンター１１の裏面側に当接させる。これによって、取付け装置４７のカウンター１１への装着が完了するので、所定の水栓装置１９を台座４８に取付けることになる。
【００２８】
本発明は前記実施の形態に限定されるものではなく、本発明の要旨を変えない程度の変形例も本発明に含まれる。例えば、前記実施の形態においては、機能手段としては水栓装置を用いたが、手摺りやその取付け台、その他取付け孔に固定する装置にも本発明を適用することができる。
【００２９】
【発明の効果】
本発明に係る取付け装置は、以上の説明からも明らかなように、姿勢制御手段によって、取付け孔に対して裏当て座を傾斜させて表側から挿入でき、取付け孔を通過した後は、ボルトに対して位置が決まるので、従来のように、裏面側に当接する裏当て座の位置調整のための特別な治具等を必要とせず、簡単に取付け装置を取付け孔に取付けることができる。
取付けられた取付け装置は、表面側に台座を裏面側に裏当て座を有し、これらをボルトを介して締結手段によって固定するので、強固に固定される。
そして、これらの作業は全て取付け部材の表面側から一人の作業者の操作で行える。
【図面の簡単な説明】
【図１】本発明の第１の実施の形態に係る取付け装置の断面図である。
【図２】同使用状態の斜視図である。
【図３】同使用状態の斜視図である。
【図４】同使用状態の断面図である。
【図５】裏当て座の断面図である。
【図６】裏当て座の斜視図である。
【図７】本発明の第２の実施の形態に係る取付け装置の断面図である。
【図８】同使用状態の斜視図である。
【図９】同使用状態の斜視図である。
【図１０】同使用状態の断面図である。
【図１１】裏当て座の断面図である。
【図１２】裏当て座の斜視図である。
【図１３】本発明の第３の実施の形態に係る取付け装置の正面図である。
【図１４】同側面図である。
【図１５】同平面図である。
【図１６】（Ａ）は裏当て座の底面図、（Ｂ）はその断面図である。
【図１７】台座の断面図である。
【図１８】ナット部材の平面図である。
【図１９】ナット部材の断面図である。
【符号の説明】
１０：取付け装置、１１：カウンター、１１ａ：取付け孔、１２：台座、１３：裏当て座、１３ａ：裏当て座本体、１４：ボルト、１５：ナット、１６：円柱体、１７：フランジ部、１８：貫通孔、１９：水栓装置、２０：ボルト挿通孔、２１：環状パッキン、２２：窪み、２２ａ：円錐穴、２３：頭部、２４：ねじ軸、２５：雄ねじ、２６、２７：平行面、２８：凹部、２９：開口、３０：ゴム板、３１：挿通孔、３４：取付け装置、３５：裏当て座、３６：ボルト、３７：ナット、３８：ねじ軸、３９：頭部、４０：雄ねじ、４１、４２：平行面、４３：傾斜孔、４４：下当接部、４５：上当接部、４７：取付け装置、４８：台座、４９：裏当て座、５０：六角穴付きボルト、５１：ナット部材、５２：ガイドロッド、５３：円柱体、５４：貫通孔、５５：ボルト挿通孔、５６：頭部、５７：ねじ軸、５８：雄ねじ、５９：第１の切欠き、６０：第２の切欠き、６１：傾斜孔、６２：平板部、６３：ガイド部、６４：ガイド部、６５：筒状収納部、６６：平板部、６７：第１の突出物、６８：第２の突出物、６９：雌ねじ、７０：挿通孔、７１：袋ナット
【図１】
0003675238.tif 000002
【図２】
0003675238.tif 000003
【図３】
0003675238.tif 000004
【図４】
0003675238.tif 000005
【図５】
0003675238.tif 000006
【図６】
0003675238.tif 000007
【図７】
0003675238.tif 000008
【図８】
0003675238.tif 000009
【図９】
0003675238.tif 000010
【図１０】
0003675238.tif 000011
【図１１】
0003675238.tif 000012
【図１２】
0003675238.tif 000013
【図１３】
0003675238.tif 000014
【図１４】
0003675238.tif 000015
【図１５】
0003675238.tif 000016
【図１６】
0003675238.tif 000017
【図１７】
0003675238.tif 000018
【図１８】
0003675238.tif 000019
【図１９】
0003675238.tif 000020